(57)【特許請求の範囲】
【請求項１】
外部からの電力供給の有無及び電池からの電力供給の有無を検出する電源検出回路と、前記電池の出力電圧を検出する出力電圧検出回路と、デジタル画像ファイルを入力可能なファイル入力装置と、被記録材への記録を実行可能な記録実行手段と、光ディスクに対するデータの読み書きを実行可能な光ディスクドライブと、前記ファイル入力装置の制御、前記記録実行手段の制御並びに前記電源検出回路の出力信号及び前記電圧検出回路の出力信号に基づく前記光ディスクドライブの制御を実行する記録制御装置とを備え、外部から供給される電力又は前記電池の電力のいずれでも動作可能な構成を有する記録装置であって、
前記記録制御装置は、前記光ディスクドライブでデータを読み書き可能な状態にある光ディスクに対して、
データ読み込み時には、外部からの電力供給がある場合には読み込み速度を最大読み込み速度に設定し、外部からの電力供給がない場合には前記電池の出力電圧から推測したその時点における前記電池の電力供給能力において設定可能な読み込み速度のうち最も高速な読み込み速度を設定するとともに読み込み中における前記電池の出力電圧の変動に応じて読み込み速度を可変設定し、
データ書き込み時には、外部からの電力供給の有無に関わらず、前記光ディスクドライブを駆動して光ディスクへのデータ書き込みを実行可能な最小限の電力しか前記電池が供給できないと見込まれるときに設定可能な書き込み速度として予め設定されている既定書き込み速度を設定する、ことを特徴とした記録装置。
【請求項２】
請求項１において、前記記録制御装置は、前記光ディスクドライブでデータを読み書き可能な状態にある光ディスクに対して、
データ読み込み時には、外部からの電力供給がある場合には読み込み速度を光ディスクの種別に応じて最大読み込み速度に設定し、外部からの電力供給がない場合には前記電池の出力電圧から推測したその時点における前記電池の電力供給能力において設定可能な読み込み速度のうち最も高速な読み込み速度を光ディスクの種別に応じて設定するとともに読み込み中における前記電池の出力電圧の変動に応じて読み込み速度を可変設定し、
データ書き込み時には、外部からの電力供給の有無に関わらず、前記光ディスクドライブを駆動して光ディスクへのデータ書き込みを実行可能な最小限の電力のみ前記電池が供給可能と見込まれるときに設定可能な書き込み速度として光ディスクの種別ごとに予め設定されている既定書き込み速度を光ディスクの種別に応じて設定する、ことを特徴とした記録装置。
【請求項３】
請求項１又は２において、前記記録制御装置は、前記光ディスクドライブでデータを読み書き可能な状態にある光ディスクのデータ読み込み中は、一定のデータサイズでデータを読み込む度に、外部からの電力供給の有無及び前記電池の出力電圧に応じて読み込み速度を可変設定する、ことを特徴とした記録装置。
【請求項４】
請求項１〜３のいずれか１項において、前記記録制御装置は、外部からの電力供給がない状態でかつ前記電池の出力電圧が一定電圧以下である間は、前記光ディスクドライブでデータを読み書き可能な状態にある光ディスクに対するデータ書き込みを開始しないように制御する、ことを特徴とした記録装置。
【請求項５】
外部からの電力供給の有無及び電池からの電力供給の有無を検出する電源検出回路と、前記電池の出力電圧を検出する出力電圧検出回路と、デジタル画像ファイルを入力可能なファイル入力装置と、被記録材への記録を実行可能な記録実行手段と、光ディスクに対するデータの読み書きを実行可能な光ディスクドライブとを備え、外部から供給される電力又は前記電池の電力のいずれでも動作可能な構成を有する記録装置において、前記ファイル入力装置の制御、前記記録実行手段の制御並びに前記電源検出回路の出力信号及び前記電圧検出回路の出力信号に基づく前記光ディスクドライブの制御をコンピュータに実行させるための記録制御プログラムであって、
前記光ディスクドライブでデータを読み書き可能な状態にある光ディスクに対して、
データ読み込み時には、外部からの電力供給がある場合には読み込み速度を最大読み込み速度に設定し、外部からの電力供給がない場合には前記電池の出力電圧から推測したその時点における前記電池の電力供給能力において設定可能な読み込み速度のうち最も高速な読み込み速度を設定するとともに読み込み中における前記電池の出力電圧の変動に応じて読み込み速度を可変設定する手順と、
データ書き込み時には、外部からの電力供給の有無に関わらず、前記光ディスクドライブを駆動して光ディスクへのデータ書き込みを実行可能な最小限の電力のみ前記電池が供給可能と見込まれるときに設定可能な書き込み速度として予め設定されている既定書き込み速度を設定する手順とを有する、ことを特徴とした記録制御プログラム。
【発明の詳細な説明】
【技術分野】
【０００１】
本発明は、外部から供給される電力又は電池の電力のいずれでも動作可能な構成を有する記録装置、該記録装置の記録制御プログラムに関する。
【背景技術】
【０００２】
例えば、一般的なパーソナルコンピュータに搭載されているＣＤ／ＤＶＤドライブ等に代表される公知の光ディスクドライブ（Optical Disk Drive）が公知である。この光ディスクドライブにおいては、光ディスクに保存されているデータの読み込み速度を速くすることによって、データ読み込みに要する時間を短くすることができる。また、光ディスクへの書き込み速度を速くすることによって、データ書き込みに要する時間を短くすることができる。そのため、光ディスクドライブの特に書き込み速度の向上を図る様々な技術が公知である（例えば、特許文献１を参照）。
【０００３】
ところで、近年のインクジェットプリンタ等の記録装置は、パーソナルコンピュータを接続することなくデジタルカメラを直接接続してデジタルカメラで撮影したデジタル画像をそのまま記録することができるダイレクトプリント機能を備えたものが公知であり、一般的になりつつある。このダイレクトプリント機能を備えた記録装置は、パーソナルコンピュータを所持していないユーザでも、デジタルカメラやカメラ付き携帯電話等のデジタル画像撮影機器さえあれば、簡単にデジタル写真プリントを自宅で行うことができるという利便性を有している。また、このようなダイレクトプリント機能を備え、かつバッテリ駆動可能な構成を有するモバイル用途向けの記録装置も公知である。このモバイル用途向けの記録装置は、バッテリ駆動可能な構成を有しているので、屋内でも屋外でも場所を選ばずどこでもデジタル写真プリントを行うことができるという利便性を有している。
【０００４】
【特許文献１】特開２００５−１２２８０７号公報
【発明の開示】
【発明が解決しようとする課題】
【０００５】
しかし、ダイレクトプリント機能を備えた記録装置は、パーソナルコンピュータを所持していないユーザでもデジタル写真プリントを行うことができるという利便性を有する反面、パーソナルコンピュータのハードディスク等にデジタル画像ファイルを保存することができないので、そのデジタル画像ファイルの保存場所が問題となる。そこで、例えば、一般的なパーソナルコンピュータに搭載されている公知の光ディスクドライブを上述したダイレクトプリント機能を備えた記録装置に搭載すれば、パーソナルコンピュータを所持していなくても、デジタルカメラ等で撮影した画像のデジタル画像ファイルをＣＤやＤＶＤ等の光ディスクに保存することが可能になる。また、ＣＤやＤＶＤ等の光ディスクから所望のデジタル画像ファイルを読み込んで写真用紙等にプリントすることも可能になる。
【０００６】
ところが、バッテリ駆動可能な構成を有するモバイル用途向けの記録装置に光ディスクドライブを搭載するとなると、バッテリの充電状態に応じて記録装置全体に供給可能な電力が増減するため、バッテリ駆動時には、バッテリの充電状態に応じて光ディスクドライブのモータや光ピックアップ等に流れる電流が制限されることとなる。したがって、バッテリ駆動時には、光ディスクの読み込み速度及び書き込み速度を最大速度より低い速度に設定する必要が生ずるが、この点は、例えば、光ディスクドライブを搭載したノート型パソコン等についても同様のことが言える。
【０００７】
しかしながら、光ディスクドライブを搭載したバッテリ駆動可能な構成を有するモバイル用途向けの記録装置において、光ディスクからのデータを読み込むということは、光ディスクからデジタル画像ファイルを読み込みながらそのデジタル画像ファイルの画像を写真用紙等へ記録（プリント）することを意味し、すなわち、必然的に光ディスクからのデータ読み込みと写真用紙等への記録（プリント）とを同時に実行することを意味する。したがって、光ディスクからのデータ読み込み速度の低下は、記録装置の主たる機能である写真用紙等への記録（プリント）の実行速度の低下に直結することとなる。
【０００８】
一方、光ディスクドライブを搭載したバッテリ駆動可能な構成を有するモバイル用途向けの記録装置において、光ディスクへデータ書き込んでいるときは、同時にその光ディスクからデジタル画像ファイルを読み込むことが物理的に不可能であることから、光ディスクへデータ書き込んでいる間は必然的に写真用紙等への記録（プリント）は実行できないということになる。したがって、仮に光ディスクからのデータ書き込み速度が低下しても、記録装置の主たる機能である写真用紙等への記録（プリント）の実行速度には、ほとんど影響しないということになる。
【０００９】
このようなことから、光ディスクドライブを搭載したバッテリ駆動可能な構成を有するモバイル用途向けの記録装置においては、光ディスクドライブの読み込み速度及び書き込み速度の制御について、ノート型パソコン等の一般的なモバイル用途向け電子機器の場合と異なる特有の制御が要求されることになるという課題が生ずる。
【００１０】
本発明は、このような状況に鑑み成されたものであり、その課題は、光ディスクドライブを搭載したバッテリ駆動可能な構成を有するモバイル用途向けの記録装置において、バッテリ駆動時における記録実行時のスループットの低下を最小限にしつつ、バッテリ駆動時における記録装置の動作可能時間をより長くすることにある。
【課題を解決するための手段】
【００１１】
上記課題を達成するため、本発明の第１の態様は、外部からの電力供給の有無及び電池からの電力供給の有無を検出する電源検出回路と、前記電池の出力電圧を検出する出力電圧検出回路と、デジタル画像ファイルを入力可能なファイル入力装置と、被記録材への記録を実行可能な記録実行手段と、光ディスクに対するデータの読み書きを実行可能な光ディスクドライブと、前記ファイル入力装置の制御、前記記録実行手段の制御並びに前記電源検出回路の出力信号及び前記電圧検出回路の出力信号に基づく前記光ディスクドライブの制御を実行する記録制御装置とを備え、外部から供給される電力又は前記電池の電力のいずれでも動作可能な構成を有する記録装置であって、前記記録制御装置は、前記光ディスクドライブでデータを読み書き可能な状態にある光ディスクに対して、データ読み込み時には、外部からの電力供給がある場合には読み込み速度を最大読み込み速度に設定し、外部からの電力供給がない場合には前記電池の出力電圧から推測したその時点における前記電池の電力供給能力において設定可能な読み込み速度のうち最も高速な読み込み速度を設定するとともに読み込み中における前記電池の出力電圧の変動に応じて読み込み速度を可変設定し、データ書き込み時には、外部からの電力供給の有無に関わらず、前記光ディスクドライブを駆動して光ディスクへのデータ書き込みを実行可能な最小限の電力しか前記電池が供給できないと見込まれるときに設定可能な書き込み速度として予め設定されている既定書き込み速度を設定する、ことを特徴とした記録装置である。
【００１２】
外部からの電力供給がある場合は、外部から電力が供給され続ける限り、光ディスクドライブにおける光ディスクの読み込み速度を常時最大読み込み速度に設定して光ディスクのデータ読み込みを実行することが可能である。しかし、外部からの電力供給がない場合には、電池のみから供給可能な電力は有限であるから、電池の電力を消費していくと、その電力消費に伴って電池の電力供給能力が低下して電池の出力電圧が低下していくこととなる。それによって、光ディスクドライブは、モータ電流が制限されることとなり、最大読み込み速度で光ディスクのデータ読み込みを続行することができなくなる。
【００１３】
ところが、前述したように、光ディスクドライブを搭載した記録装置において、光ディスクからデジタル画像ファイルを読み込むときは、そのデジタル画像ファイルの画像を被記録材へ記録するときであるから、光ディスクからのデータ読み込みと被記録材への記録とが同時に実行される。そのため、光ディスクからのデータ読み込み速度の低下は、記録装置の主たる機能である被記録材への記録を実行する際の記録実行速度の低下に直結する。
【００１４】
このようなことから本発明の第１の態様に記載の記録装置の記録制御装置は、データ読み込み時に外部からの電力供給がない場合には、光ディスクの読み込み速度を電池の出力電圧に応じて可変設定する。具体的には、電池の出力電圧から推測したその時点における電池の電力供給能力において設定可能な読み込み速度のうち、最も高速な読み込み速度を設定する。また、光ディスク読み込み中おいては、読み込み中における電池の出力電圧の変動に応じて最も高速な読み込み速度となるように、読み込み中に読み込み速度の設定を可変とする。
【００１５】
このように、光ディスクのデータを読み込む際には、外部からの電力供給がある場合には最大読み込み速度が設定され、外部からの電力供給がない場合には電池の電力供給能力に応じて設定可能な範囲で常に最も速い読み込み速度が設定される。それによって、光ディスクの読み込み速度を、可能な範囲で常に最速状態に維持することができる。したがって、光ディスクからデジタル画像ファイルを読み込みながら、そのデジタル画像ファイルの画像を被記録材へ記録する際のスループットの低下を最小限にすることができる。
【００１６】
一方、ファイル入力装置等から入力したデジタル画像ファイルを光ディスクへ書き込む際には、同時にその光ディスクからデジタル画像ファイルを読み込むことが物理的に不可能であることから、その間は必然的に被記録材への記録は実行できないということになる。したがって、光ディスクからのデータ書き込み速度の低下は、記録装置の主たる機能である被記録材への記録の実行速度にほとんど影響しないということになる。このことから、光ディスクへデータを書き込む際の書き込み速度は、可能な限り高速とするのが理想的ではあるものの、低速であっても記録装置の記録実効性能（スループット）の低下は生じないということになる。
【００１７】
このようなことから本発明の第１の態様に記載の記録装置の記録制御装置は、外部からの電力供給の有無に関わらず、光ディスクドライブを駆動して光ディスクへのデータ書き込みを実行可能な最小限の電力しか電池が供給できないと見込まれるときに設定可能な書き込み速度として予め設定されている既定書き込み速度を設定する。すなわち、光ディスクへのデータ書き込み時には、外部からの電力供給の有無及びそのときの電池の電力供給能力とは無関係に、常に最も低速な書き込み速度を設定する。書き込み速度を低速に設定することによって、光ディスクへのデータ書き込み時における光ディスクドライブのモータ電流を小さくすることができる。
【００１８】
したがって、電池の電力供給能力が低下した状態でも光ディスクへのデータの書き込みを継続できるとともに、電池の電力消費量を小さくすることができるので、電池駆動時における記録装置の動作可能時間をより長くすることができる。また、書き込み速度を低速に設定すると、光ディスクへのデータ書き込み時間は長くなるものの、光ディスクへのデータを書き込み中は、光ディスクからデジタル画像ファイルを読み出して被記録材へ記録を実行することはできないので、被記録材への記録実行性能（スループット）の低下が生じない。
【００１９】
さらに、外部から電力供給されている状態において、光ディスクへの書き込みを実行している途中で突然外部からの電力供給が遮断されて、電池からの電力供給に切り替わった場合、電池の電力供給能力が低下した状態であっても電池が最低限の電力供給能力を維持している限り、電池からの電力供給でそのまま光ディスクへのデータ書き込みを継続することができる。すなわち、光ディスクへの書き込み時には、常に動作時の電流値が最も小さい最も低速な書き込み速度を設定するので、光ディスクへの書き込みを実行している途中で突然外部からの電力供給が遮断された場合でも、電池が最低限の電力供給能力を維持している限り、そのまま光ディスクへのデータ書き込みを継続することができる。したがって、ディスク書き込み中に記録装置への電力供給源が突然切り替わっても、安全にディスク書き込みを継続して当該光ディスクへのデータ書き込みを完了させることができる。
【００２０】
このようにして、本発明の第１の態様に記載の記録装置によれば、光ディスクドライブを搭載したバッテリ駆動可能な構成を有するモバイル用途向けの記録装置において、バッテリ駆動時における記録実行時のスループットの低下を最小限にしつつ、バッテリ駆動時における記録装置の動作可能時間をより長くすることができるという作用効果が得られる。
【００２１】
本発明の第２の態様は、前述した第１の態様において、前記記録制御装置は、前記光ディスクドライブでデータを読み書き可能な状態にある光ディスクに対して、データ読み込み時には、外部からの電力供給がある場合には読み込み速度を光ディスクの種別に応じて最大読み込み速度に設定し、外部からの電力供給がない場合には前記電池の出力電圧から推測したその時点における前記電池の電力供給能力において設定可能な読み込み速度のうち最も高速な読み込み速度を光ディスクの種別に応じて設定するとともに読み込み中における前記電池の出力電圧の変動に応じて読み込み速度を可変設定し、データ書き込み時には、外部からの電力供給の有無に関わらず、前記光ディスクドライブを駆動して光ディスクへのデータ書き込みを実行可能な最小限の電力のみ前記電池が供給可能と見込まれるときに設定可能な書き込み速度として光ディスクの種別ごとに予め設定されている既定書き込み速度を光ディスクの種別に応じて設定する、ことを特徴とした記録装置である。
【００２２】
いわゆるコンボドライブと呼ばれる複数の種別の光ディスクに対応した光ディスクドライブにおいては、光ディスクの種別ごとに最大読み込み速度及び最大書き込み速度が異なるのが通常である。そこで、このような光ディスクドライブを搭載した記録装置においては、光ディスクの種別に応じて電池の出力電圧に基づく読み込み速度の可変設定を行うとともに、光ディスクの種別に応じた既定書き込み速度を設定する。それによって、複数の種別の光ディスクに対応した光ディスクドライブを搭載したバッテリ駆動可能な構成を有するモバイル用途向けの記録装置において、バッテリ駆動時における記録実行時のスループットの低下を最小限にしつつ、バッテリ駆動時における記録装置の動作可能時間をより長くすることができるという作用効果が得られる。
【００２３】
本発明の第３の態様は、前述した第１の態様又は第２の態様において、前記記録制御装置は、前記光ディスクドライブでデータを読み書き可能な状態にある光ディスクのデータ読み込み中は、一定のデータサイズでデータを読み込む度に、外部からの電力供給の有無及び前記電池の出力電圧に応じて読み込み速度を可変設定する、ことを特徴とした記録装置である。
【００２４】
一般的な光ディスクドライブにおける光ディスクからのデータ読み込み又は光ディスクへのデータ書き込みは、一定サイズのデータの読み込み又は書き込みを繰り返し実行することで行われる。そこで、光ディスクからデータを読み込む際には、この一定サイズのデータ読み込みの度に、外部からの電力供給の有無及び電池の出力電圧に応じて読み込み速度を可変設定する。それによって、よりきめ細かい読み込み速度の可変設定が可能になるので、光ディスクからのデータ読み込み速度をより向上させることができ、その結果、当該記録装置の記録実行性能（スループット）をより向上させることができる。
【００２５】
本発明の第４の態様は、前述した第１の態様〜第３の態様のいずれかにおいて、前記記録制御装置は、外部からの電力供給がない状態でかつ前記電池の出力電圧が一定電圧以下である間は、前記光ディスクドライブでデータを読み書き可能な状態にある光ディスクに対するデータ書き込みを開始しないように制御する、ことを特徴とした記録装置である。  
外部からの電力供給がない状態でかつ電池の出力電圧が一定電圧以下である間は、光ディスクへのデータ書き込みを実行しても、最後までデータ書き込みを完了させる前に電池切れとなってしまい、光ディスクに対するデータ書き込みが不完全な状態で終了してしまう虞が生ずる。そこで、外部からの電力供給がない状態でかつ電池の出力電圧が一定電圧以下である間は、ユーザによる書き込み操作等が行われても、光ディスクに対するデータ書き込みを開始しないように制御することで、光ディスクに対するデータ書き込みが不完全な状態で電池切れにより終了してしまうことを防止することができる。
【００２６】
本発明の第５の態様は、外部からの電力供給の有無及び電池からの電力供給の有無を検出する電源検出回路と、前記電池の出力電圧を検出する出力電圧検出回路と、デジタル画像ファイルを入力可能なファイル入力装置と、被記録材への記録を実行可能な記録実行手段と、光ディスクに対するデータの読み書きを実行可能な光ディスクドライブとを備え、外部から供給される電力又は前記電池の電力のいずれでも動作可能な構成を有する記録装置において、前記ファイル入力装置の制御、前記記録実行手段の制御並びに前記電源検出回路の出力信号及び前記電圧検出回路の出力信号に基づく前記光ディスクドライブの制御をコンピュータに実行させるための記録制御プログラムであって、前記光ディスクドライブでデータを読み書き可能な状態にある光ディスクに対して、データ読み込み時には、外部からの電力供給がある場合には読み込み速度を最大読み込み速度に設定し、外部からの電力供給がない場合には前記電池の出力電圧から推測したその時点における前記電池の電力供給能力において設定可能な読み込み速度のうち最も高速な読み込み速度を設定するとともに読み込み中における前記電池の出力電圧の変動に応じて読み込み速度を可変設定する手順と、データ書き込み時には、外部からの電力供給の有無に関わらず、前記光ディスクドライブを駆動して光ディスクへのデータ書き込みを実行可能な最小限の電力のみ前記電池が供給可能と見込まれるときに設定可能な書き込み速度として予め設定されている既定書き込み速度を設定する手順とを有する、ことを特徴とした記録制御プログラムである。  
本発明の第５の態様に記載の記録制御プログラムによれば、この記録制御プログラムを実行可能な任意の記録装置に、前述した第１の態様に記載の発明と同様の作用効果をもたらすことができる。
【発明を実施するための最良の形態】
【００２７】
以下、本発明の実施の形態を図面に基づいて説明する。  
まず、本発明に係る「記録装置」の一例としてのインクジェット式記録装置の概略構成について説明する。
【００２８】
図１は、本発明に係るインクジェット式記録装置の要部平面図であり、図２はその側面図である。  
図３は、本発明に係るインクジェット式記録装置の概略のブロック図である。  
インクジェット式記録装置５０には、「被記録材」としての記録紙Ｐへの記録を実行可能な「記録実行手段」を構成する手段として、記録紙Ｐに対して主走査方向Ｘへ移動可能にキャリッジガイド軸５１に軸支されたキャリッジ６１が設けられている。キャリッジ６１には、「被記録材」としての記録紙Ｐの記録面にドットを形成して記録を行うための記録ヘッド６２と主走査方向Ｘの記録紙Ｐの端部を検出するためのＰＷセンサ３４とが搭載されている。キャリッジ６１は、「キャリッジ用モータ」としてのＣＲモータ６３（図３）の回転駆動力が、無端ベルトによるベルト伝達機構（図示せず）によって伝達されて主走査方向Ｘに往復動する。このキャリッジ６１を主走査方向Ｘへ往復動させることで、記録紙Ｐに対して記録ヘッド６２を主走査方向Ｘに走査させることができる。記録ヘッド６２のヘッド面と対向する位置には、記録紙Ｐを摺接支持しつつ記録紙Ｐの記録面と記録ヘッド６２のヘッド面との間隔を所定間隔に規定するプラテン５２が設けられている。
【００２９】
キャリッジ６１の主走査方向Ｘへの往復動領域の一端側の外側には、公知のキャッピング装置５９が設けられている。記録を実行しない待機状態においては、キャリッジ６１がキャッピング装置５９の上まで移動して停止し、キャッピング装置５９に配設されているキャップＣＰによって記録ヘッド６２のヘッド面が封止される。このキャリッジ６１の停止位置は、ホームポジションＨＰとして規定される。
【００３０】
また、インクジェット式記録装置５０には、記録紙Ｐへの記録を実行可能な「記録実行手段」を構成する「被記録材搬送手段」として、記録紙Ｐを副走査方向Ｙに搬送する搬送駆動ローラ５３と搬送従動ローラ５４が設けられている。搬送駆動ローラ５３は、「被記録材搬送用モータ」としてのＰＦモータ５８（図３）の回転駆動力が歯車伝達されて回転する。搬送従動ローラ５４は、複数設けられており、従動回転可能に軸支された状態で搬送駆動ローラ５３に押圧付勢されている。搬送従動ローラ５４の押圧付勢力で高摩擦抵抗被膜が施された搬送駆動ローラ５３の外周面に押しつけられた記録紙Ｐは、その摩擦抵抗によって搬送駆動ローラ５３の外周面に密着する。その状態で搬送駆動ローラ５３を搬送方向へ回転させることによって、記録紙Ｐは、搬送従動ローラ５４が従動回転しつつ副走査方向Ｙに搬送され、それによって、記録ヘッド６２を記録紙Ｐに対して副走査方向Ｙに走査させることができる。
【００３１】
給紙トレイ５７の近傍には、給紙トレイ５７に積重されている記録紙Ｐの最上位の記録紙Ｐを「被記録材搬送手段」へ自動給送する「自動給送手段」としてのＡＳＦ（オート・シート・フィーダ）が設けられている。ＡＳＦは、給紙トレイ５７に設けられた給紙ローラ５７ｂ及び図示してない分離パッドを有する公知の自動給紙機構である。給紙ローラ５７ｂは、給紙トレイ５７の一方側に配置されている。記録紙ガイド５７ａは、記録紙Ｐの幅に合わせて幅方向に摺動可能に給紙トレイ５７に設けられている。そして、ＰＦモータ５８（図３）の回転駆動力が歯車伝達されて回転する給紙ローラ５７ｂの回転駆動力によって、給紙トレイ５７に置かれた記録紙Ｐが給紙される。その際に、分離パッドの摩擦抵抗によって、複数の記録紙Ｐが一度に給紙されることなく最上位の記録紙Ｐのみが正確に分離されて一枚ずつ自動給紙されるように構成されている。給紙ローラ５７ｂと搬送駆動ローラ５３との間には、搬送される記録紙Ｐの先端及び後端を検出する公知の紙検出器３３が配設されている。
【００３２】
一方、記録紙Ｐを副走査方向Ｙへ搬送可能な「被記録材搬送手段」及び記録実行後の記録紙Ｐを排紙する手段として、排紙駆動ローラ５５と排紙従動ローラ５６とが設けられている。排紙駆動ローラ５５は、ＰＦモータ５８（図３）の回転駆動力が歯車伝達されて回転し、記録実行後の記録紙Ｐは、排紙駆動ローラ５５の回転によって副走査方向Ｙに排紙される。排紙従動ローラ５６は、周囲に複数の歯を有し、各歯の先端が記録紙Ｐの記録面に点接触するように鋭角的に尖った歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に伴い従動回転する。  
そして、給紙ローラ５７ｂ、搬送駆動ローラ５３及び排紙駆動ローラ５５を回転駆動するＰＦモータ５８（図３）及びキャリッジ６１を主走査方向Ｘに駆動するＣＲモータ６３（図３）は、記録制御部１００により駆動制御される。また、記録ヘッド６２も同様に、記録制御部１００により駆動制御されて記録紙Ｐの表面にインクを噴射する。記録制御部１００は、キャリッジ６１を主走査方向Ｘへ往復動させながら記録ヘッド６２から記録紙Ｐへインクを噴射してドットを形成する動作と、記録紙Ｐを副走査方向Ｙへ所定の搬送量で搬送する動作とを交互に繰り返しながら記録紙Ｐへの記録制御を実行する。
【００３３】
引き続き図１〜図３を参照しながら記録制御部１００について説明する。  
記録制御部１００は、ＲＯＭ１０１、ＲＡＭ１０２、ＡＳＩＣ（特定用途向け集積回路）１０３、ＭＰＵ１０４、「不揮発性記憶媒体」としての不揮発性メモリ１０５、「被記録材搬送用モータ駆動回路」としてのＰＦモータドライバ１０６、「キャリッジ用モータ駆動回路」としてのＣＲモータドライバ１０７及びヘッドドライバ１０８を備えている。ＭＰＵ１０４には、ＡＳＩＣ１０３を介して、ロータリエンコーダ３１、リニアエンコーダ３２、紙検出器３３、ＰＷセンサ３４及びインクジェット式記録装置５０の電源をＯＮ／ＯＦＦするための電源スイッチ３５の出力信号が入力される。
【００３４】
公知のロータリエンコーダ３１は、搬送駆動ローラ５３の回転量を検出するべくＰＦモータ５８の回転周期に連動した周期のパルス信号を出力するように配設されている。ロータリエンコーダ３１は、搬送駆動ローラ５３の回転に連動して回転するロータリスケール３１１と、ロータリスケール３１１の外周に沿って等間隔に形成されているスリットを検出するロータリスケールセンサ３１２とを有している（図２）。搬送駆動ローラ５３の回転に伴い変化するロータリスケールセンサ３１２の出力信号は、ＡＳＩＣ１０３を介してＭＰＵ１０４へ出力される。  
公知のリニアエンコーダ３２は、キャリッジ６１の移動量を検出するべくＣＲモータ６３の回転周期に連動した周期のパルス信号を出力するように配設されている。リニアエンコーダ３２は、キャリッジ６１の近傍に主走査方向Ｘと略平行に配置されたリニアスケール３２１と、リニアスケール３２１に等間隔に形成されているスリットを検出するキャリッジ６１に搭載されたリニアスケールセンサ３２２とを有している（図２）。キャリッジ６１の主走査方向Ｘの移動量に応じたパルス数でパルス周期が移動速度に伴い変化するリニアスケールセンサ３２２の出力信号は、ＡＳＩＣ１０３を介してＭＰＵ１０４へ出力される。
【００３５】
記録制御部１００のシステムバスには、ＲＯＭ１０１、ＲＡＭ１０２、ＡＳＩＣ１０３、ＭＰＵ１０４及び不揮発性メモリ１０５が接続されている。ＭＰＵ１０４は、インクジェット式記録装置５０の記録制御を実行するための演算処理やその他必要な演算処理を行う。ＲＯＭ１０１には、ＭＰＵ１０４によるインクジェット式記録装置５０の制御に必要な記録制御プログラム（ファームウェア）等が格納されており、記録制御プログラムの処理に必要な各種データ等は不揮発性メモリ１０５に記憶されている。ＲＡＭ１０２は、ＭＰＵ１０４の作業領域や記録データ等の格納領域として用いられる。  
ＡＳＩＣ１０３は、ＤＣモータであるＰＦモータ５８の速度制御を行う制御回路及びＣＲモータ６３の速度制御を行う制御回路並びに記録ヘッド６２の駆動制御を行う制御回路（図示せず）を有している。ＭＰＵ１０４から送られてくる制御命令、ロータリエンコーダ３１の出力信号及びリニアエンコーダ３２の出力信号に基づいて、ＰＦモータ５８及びＣＲモータ６３の速度制御を行う為の各種演算を行い、その演算結果に基づくモータ制御信号をＰＦモータドライバ１０６及びＣＲモータドライバ１０７へ送出する。また、ＭＰＵ１０４から送出される記録データ等に基づいて、記録ヘッド６２の制御信号を演算生成してヘッドドライバ１０８へ送出して記録ヘッド６２を駆動制御する。
【００３６】
さらに、ＡＳＩＣ１０３は、インクジェット式記録装置５０の本体に設けられたＵＳＢコネクタ（図示せず）を介して接続されるデジタルカメラ３０３とのＵＳＢインタフェースを実現して、デジタルカメラ３０３等からデジタル画像ファイルを入力可能な「ファイル入力装置」としての機能を実現するＵＳＢＩＦ１１２を有している。デジタルカメラ３０３をＵＳＢＩＦ１１２でインクジェット式記録装置５０に接続した状態で、前述したダイレクトプリントを実行することができる。
【００３７】
また、インクジェット式記録装置５０は、デジタル画像ファイルを入力可能な「ファイル入力装置」としてメモリカード３０１のデータを読み込み可能なメモリカードスロット３６と、ＣＤ（Compact Disk）やＤＶＤ（Digital Versatile Disk）等の光ディスク３０２に対するデータの読み書きを実行可能な構成を有する公知の「光ディスクドライブ」としてのＣＤ／ＤＶＤドライブ３７とを備えている。メモリカードスロット３６及びＣＤ／ＤＶＤドライブ３７の制御及びデータ入出力は、ＡＳＩＣ１０３を介してＭＰＵ１０４により実行される。尚、「ファイル入力装置」は、特にメモリカードスロット３６に限定されるものではなく、例えば、インターネット等のネットワーク経由でファイルを入力可能な手段をインクジェット式記録装置５０に設けても良い。
【００３８】
図４は、本発明に係るインクジェット式記録装置５０の電源系統を示した回路図である。  
電源ラインＶｃｃは、インクジェット式記録装置５０の外部電源としての外付けのＡＣアダプタ１０及び着脱可能にインクジェット式記録装置５０に内蔵される「電池」としてのリチウムイオン電池パック２０（以下、電池パック２０という。）から電力供給される。ＡＣアダプタ１０は、交流電力（ＡＣ１００Ｖ等）を直流電力（ＤＣ２０Ｖ）にＡＣ−ＤＣ変換する。ＡＣアダプタ１０が出力する直流電力は、ダイオードＤ１を介して電源ラインＶｃｃへ供給される。電池パック２０は、複数のリチウムイオン電池を内蔵しており、フル充電された状態で約１６．８Ｖの直流電力を出力する。電池パック２０が出力する直流電力は、ダイオードＤ２を介して電源ラインＶｃｃへ供給される。
【００３９】
電源ラインＶｃｃには、ＡＣアダプタ１０からの電力供給と電池パック２０からの電力供給とが、ダイオードＤ１及びダイオードＤ２でダイオードＯＲされて電力供給される。電源ラインＶｃｃへ供給される電力は、ＰＦモータ５８、ＣＲモータ６３及びＣＤ／ＤＶＤドライブ３７等の駆動系へ電力供給されるとともに、ＤＣ−ＤＣコンバータ３０で制御電圧（３．３Ｖ）に変換されて記録制御部１００等へ供給される。電源ラインＶｃｃには、電源スイッチ３５が配設されており、電源スイッチ３５の接点で電源ラインＶｃｃを直接接続／切断することで電子機器の電源ＯＮ／ＯＦＦを行うように構成されている。
【００４０】
充電回路２１は、ＡＣアダプタ１０からダイオードＤ３を介して供給されるＤＣ２０Ｖの電力を利用して、電池パック２０への充電を実行する。  
電池の出力電圧を検出する「出力電圧検出回路」としてのＡ／Ｄ変換回路２２は、電池パック２０の出力電圧を所定の分圧比で分圧した後、デジタル信号の電圧値に変換して記録制御部１００へ出力する。当該実施例においては、Ａ／Ｄ変換回路２２は、０〜１７Ｖの電圧差を３．３Ｖに分圧した後、１０ｂｉｔの分解能でデジタル信号に変換する。したがって、約１６．６１８ｍＶ単位で電池パック２０の出力電圧を検出することができる。
【００４１】
電源検出回路２３は、ＡＣアダプタ１０からの電力供給の有無及び電池パック２０の着脱状態をそれぞれ検出して、記録制御部１００へそれぞれの検出状態（電源検出信号）を出力する。電池パック２０の着脱状態は、電池パック２０が装着されるとＧＮＤに短絡されるショート端子Ｓの短絡状態から検出する。記録制御部１００は、電源検出回路２３から出力される電源検出信号に基づいて、ＡＣアダプタ１０から電力が供給されている状態で、かつ装着されている電池パック２０の出力電圧が一定の電圧以下に低下した時点で、充電回路２１の起動制御を実行する。また、記録制御部１００は、ＡＣアダプタ１０から電力が供給されていない状態で、かつ装着されている電池パック２０の出力電圧が一定の電圧以下に低下した場合には、電源スイッチ接点信号から電源スイッチ３５による電子機器の電源ＯＦＦ操作を検出した場合と同様に、所定のバックアップ制御した後に電子機器の電源をＯＦＦする。
【００４２】
図５は、記録制御部１００の要部の機能ブロック図である。  
記録紙Ｐへの記録実行制御並びに電源検出回路２３の出力信号及びＡ／Ｄ変換回路２２の出力信号に基づくＣＤ／ＤＶＤドライブ３７の制御を実行する「記録制御装置」としての記録制御部１００は、機能ブロックとして、システム制御部／ディスクドライブ制御部１５１、記録実行手段制御部１５２、ファイルシステム１５３、静止画・動画制御部１５４、音声制御部１５５、電源種別判断部１５６、ドライブ回転速度情報記憶部１５７及びＵＩ制御部１５８を有している。  
記録実行手段制御部１５２は、記録実行手段による記録紙Ｐへの記録制御を実行する。ファイルシステム１５３は、メモリカードスロット３６及びＣＤ／ＤＶＤドライブ３７を介してのファイル入出力制御を実行する。静止画・動画制御部１５４は、圧縮されたデジタル静止画ファイルやデジタル動画ファイルの復号（デコード）を実行する。復号されたデジタル画像又はデジタル動画は、液晶ディスプレイ３８１で再生表示することができる。音声制御部１５５は、デジタル音声ファイルをデコード（復号）してデジタル音声信号を取得し、取得したデジタル音声信号をアナログ音声信号に変換するＤＡ（デジタル−アナログ）変換制御を実行する。ＤＡ変換されたアナログ音声信号は、アンプ部３９で増幅してスピーカＳＰで再生することができる。
【００４３】
電源種別判断部１５６は、電源検出回路２３の出力信号及びＡ／Ｄ変換回路２２の出力信号に基づいて、ＡＣアダプタ１０からの電力供給の有無並びに電池パック２０からの電力供給の有無及び電池パック２０の出力電圧値を判断する。ドライブ回転速度情報記憶部１５７には、後述するＣＤ／ＤＶＤドライブ３７における光ディスク３０２の読み込み速度テーブル及び既定書き込み速度テーブル等が保存される。ＵＩ（ユーザインタフェース）制御部１５８は、インクジェット式記録装置５０本体に設けられた「表示手段」としての液晶ディスプレイ３８１及び「操作入力手段」としての操作パネル３８２を有するユーザインタフェース手段３８の操作入力制御及び画面表示制御を実行する。
【００４４】
システム制御部／ディスクドライブ制御部１５１は、ＵＳＢＩＦ１１２を介して入力可能な状態にあるデジタルカメラ３０３に保存されているデジタル画像ファイル又はメモリカードスロット３６を介して入力可能な状態にあるメモリカード３０１に保存されたファイルのうち、ユーザがデジタルカメラ３０３又はインクジェット式記録装置５０のユーザインタフェース手段３８等を操作して任意に選択及び保存操作した複数のデジタル画像ファイルを光ディスク３０２に保存する。また、システム制御部／ディスクドライブ制御部１５１は、ＣＤ／ＤＶＤドライブ３７で読み込み可能な状態にある光ディスク３０２に保存されているデジタル画像ファイルのうち、ユーザがユーザインタフェース手段３８等を介して任意に選択したデジタル画像ファイルを記録紙Ｐに記録する操作を行うと、選択されたデジタル画像ファイルを光ディスク３０２から読み出しながら、そのデジタル画像ファイルの画像を記録紙Ｐに記録する制御を実行する。
【００４５】
このような光ディスク３０２に対するデジタル画像ファイルの読み書きを実行する際には、システム制御部／ディスクドライブ制御部１５１は、以下の手順で読み込み速度及び書き込み速度を設定する。
【００４６】
図６は、システム制御部／ディスクドライブ制御部１５１における光ディスク３０２からのデータ読み込み制御手順を示したフローチャートである。  
まず、インクジェット式記録装置５０がＡＣ電源駆動状態か否かを判定する（ステップＳ１）。具体的には、電源検出回路２３の出力信号に基づいて、ＡＣアダプタ１０から電力が供給されている否かを電源種別判断部１５６が一定周期で判断してシステム制御部／ディスドライブ制御部１５１に送信する。システム制御部／ディスクドライブ制御部１５１は、電源種別判断部１５６から受信した情報に基づいて、ＡＣ電源駆動状態か否かを判定する。ＡＣ電源駆動状態である場合には（ステップＳ１でＹｅｓ）、ＣＤ／ＤＶＤドライブ３７で光ディスク３０２からデジタル画像ファイルを読み込む際の読み込み速度を最大読み込み速度に設定する（ステップＳ２）。
【００４７】
一方、ＡＣ電源駆動状態でない場合には（ステップＳ１でＮｏ）、すなわちＡＣアダプタ１０から電力が供給されておらず、電池パック２０からの供給電力のみでインクジェット式記録装置５０が動作している状態である場合には、ＣＤ／ＤＶＤドライブ３７で光ディスク３０２からデジタル画像ファイルを読み込む際の読み込み速度を制限速度に設定する（ステップＳ３）。この制限速度は、Ａ／Ｄ変換回路２２が検出した電池パック２０の出力電圧から推測したその時点における電池パック２０の電力供給能力において設定可能な読み込み速度のうち最も高速な読み込み速度である。この制限速度は、ドライブ回転速度情報記憶部１５７に保存されている光ディスク３０２のディスク種別ごとに予め設定された読み込み速度テーブルを参照して取得する。読み込み速度テーブルは、電池パック２０の出力電圧に対する読み込み速度のデータテーブルである。この読み込み速度テーブルの各読み込み速度は、電池パック２０の出力電圧と電流制限値との関係、ＣＤ／ＤＶＤドライブ３７の読み込み速度ごとの最大電流値及び記録紙Ｐへの記録実行時における「記録実行手段」での最大電力消費量に基づいて、予め実験等により求めたものである。尚、読み込み速度テーブルを持たずにその都度所定の計算式から読み込み速度を演算して算出するようにしても差し支えない。
【００４８】
つづいて、設定した読み込み速度で光ディスク３０２から一定のデータサイズだけデジタル画像ファイルを読み込んだ後（ステップＳ４）、読み込んだデータがラストデータか否か、すなわち当該デジタル画像ファイルのデータを全て読み込み終えたか否かを判定する（ステップＳ５）。読み込んだデータがラストデータでない場合には（ステップＳ５でＮｏ）、ステップＳ１に戻って再びＡＣ電源駆動状態か否かを判定する（ステップＳ１）。そして、当該デジタル画像ファイルの全てのデータを読み込み終えた時点で（ステップＳ５でＹｅｓ）、当該手順を終了する。
【００４９】
このように、ステップＳ１〜ステップＳ４の一連の手順を繰り返し実行しながら、一定のデータサイズずつデジタル画像ファイルのデータを読み込んでいくことによって、一定のデータサイズずつデータを読み込む度に、ＡＣアダプタ１０からの電力供給の有無及び電池パック２０の出力電圧の変動に応じて、光ディスク３０２からのデジタル画像ファイルの読み込み速度を可変設定することができる。そして、ＡＣアダプタ１０からの電力供給がある場合には（ステップＳ１でＹｅｓ）、常にＣＤ／ＤＶＤドライブ３７における最大読み込み速度が設定され（ステップＳ２）、ＡＣアダプタ１０からの電力供給がない場合には（ステップＳ１でＮｏ）、常にその時点における電池パック２０の電力供給能力で設定可能な読み込み速度のうち最も高速な読み込み速度が読み込み速度テーブルを参照して取得されて設定される（ステップＳ３）。
【００５０】
また、このような手順で光ディスク３０２から読み出されるデジタル画像ファイルは、光ディスク３０２からのデータ読み出しと平行して所定のデータ単位ごとに静止画・動画制御部１５４で復号（デコード）されていく。そして、復号後の画像データに基づいて記録紙Ｐへの記録実行制御が、光ディスク３０２からのデータ読み出しと平行して実行されていく。
【００５１】
すなわち、一定のデータサイズでのデータ読み込みの都度、光ディスク３０２の読み込み速度を可能な範囲で常に最速状態に維持しながら、デジタル画像ファイルを光ディスク３０２から読み込みつつ、その読み込んだデジタル画像ファイルの画像を記録紙Ｐへ記録していくことができる。したがって、光ディスク３０２からデジタル画像ファイルを読み込みながらそのデジタル画像ファイルの画像を記録紙Ｐへ記録する際のスループットの低下を最小限にすることができる。
【００５２】
図７は、システム制御部／ディスクドライブ制御部１５１における光ディスク３０２へのデータ書き込み制御手順を示したフローチャートである。  
まず、メモリカードスロット３６又はＵＳＢＩＦ１１２を介してメモリカード３０１やデジタルカメラ３０３等から入力したデジタル画像ファイルを光ディスク３０２へ書き込む際には、ＣＤ／ＤＶＤドライブ３７における光ディスク３０２への書き込み速度をＡＣアダプタ１０からの電力供給の有無に関わらず、常に制限速度に設定する（ステップＳ１）。この書き込み時における制限速度は、ＣＤ／ＤＶＤドライブ３７を駆動して光ディスク３０２へのデータ書き込みを実行可能な最小限の電力しか電池パック２０が供給できないと見込まれるときに設定可能な書き込み速度として予め設定されている既定書き込み速度である。この既定書き込み速度は、ドライブ回転速度情報記憶部１５７に保存されている光ディスク３０２のディスク種別ごとに予め設定された既定書き込み速度テーブルを参照して取得する。既定書き込み速度テーブルは、具体的には、ＣＤ／ＤＶＤドライブ３７でディスク種別ごとに設定可能な最も低速の書き込み速度の一覧である。
【００５３】
つづいて、設定した既定書き込み速度で光ディスク３０２へ一定のデータサイズだけデジタル画像ファイルのデータを書き込む手順（ステップＳ１２）と、書き込んだデータがラストデータか否か、すなわち当該デジタル画像ファイルのデータを全て書き込み終えたか否かを判定する手順（ステップＳ１３）とを交互に繰り返していく。書き込んだデータがラストデータでない場合には（ステップＳ１３でＮｏ）、ステップＳ１２に戻って当該デジタル画像ファイルの残りのデータから一定のデータサイズのデータを書き込み（ステップＳ１２）、当該デジタル画像ファイルの全てのデータを書き込み終えた時点で（ステップＳ１３でＹｅｓ）、当該手順を終了する。
【００５４】
このように、ＡＣアダプタ１０からの電力供給の有無に関わらず、ＣＤ／ＤＶＤドライブ３７における光ディスク３０２への書き込み速度を、常に最も低速な書き込み速度を設定することによって、光ディスク３０２へのデータ書き込み時におけるＣＤ／ＤＶＤドライブ３７のモータや光ピックアップ等に流れる電流を小さくすることができる。したがって、電池パック２０の電力供給能力が低下して電池パック２０からの出力電流の最大値が低下した状態でも一定の書き込み速度による光ディスク３０２へのデータ書き込みを実行することが可能になるとともに、電池パック２０の電力消費量を小さくすることができるので、電池パック２０で駆動している状態におけるインクジェット式記録装置５０の動作可能時間をより長くすることができる。
【００５５】
また、光ディスク３０２へのデータ書き込み中は、光ディスク３０２からデジタル画像ファイルを読み込みながら記録紙Ｐへ記録を実行することはできない。したがって、光ディスク３０２への書き込み速度を低速に設定しても、光ディスク３０２へのデータ書き込み時間は長くなるものの、記録紙Ｐへの記録実行性能（スループット）の低下は生じない。
【００５６】
さらに、光ディスク３０２への書き込み時には、常にＣＤ／ＤＶＤドライブ３７の動作時の電流値が最も小さい最も低速な書き込み速度を設定するので、光ディスク３０２への書き込みを実行している途中で突然ＡＣアダプタ１０からの電力供給が遮断された場合でも、電池パック２０が最低限の電力供給能力を維持している限り、そのまま光ディスク３０２へのデータ書き込みを継続することができる。したがって、ディスク書き込み中にインクジェット式記録装置５０への電力供給源がＡＣアダプタ１０から電池パック２０に突然切り替わっても、安全に光ディスク３０２への書き込みを継続して光ディスク３０２へのデータ書き込みを完了させることができる。
【００５７】
このようにして、ＣＤ／ＤＶＤドライブ３７等の光ディスクドライブを搭載した電池パック２０等のバッテリで駆動可能な構成を有するモバイル用途向けのインクジェット式記録装置５０において、バッテリ駆動時における記録実行時のスループットの低下を最小限にしつつ、バッテリ駆動時におけるインクジェット式記録装置５０の動作可能時間をより長くすることができる。
【００５８】
また、光ディスク３０２からデータを読み込む際には、一定サイズのデータ読み込みの度に、ＡＣアダプタ１０からの電力供給の有無及び電池パック２０の出力電圧に応じて読み込み速度を可変設定することによって、よりきめ細かい読み込み速度の可変設定が可能になるので、光ディスク３０２からのデータ読み込み速度をより向上させることができ、その結果、インクジェット式記録装置５０の記録実行性能（スループット）をより向上させることができる。
【００５９】
さらに、ＡＣアダプタ１０からの電力供給がない状態でかつ電池パック２０の出力電圧が一定電圧以下である間は、ＣＤ／ＤＶＤドライブ３７でデータを読み書き可能な状態にある光ディスク３０２に対するデータ書き込みを開始しないようにするのが好ましい。それによって、最後まで光ディスク３０２へのデータ書き込みを完了させる前に電池パック２０が電池切れとなってしまい、光ディスク３０２に対するデータ書き込みが不完全な状態で終了してしまうことを防止することができる。
【００６０】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００６１】
【図１】本発明に係るインクジェット式記録装置の概略の平面図である。
【図２】本発明に係るインクジェット式記録装置の概略の側面図である。
【図３】本発明に係るインクジェット式記録装置の概略のブロック図である。
【図４】本発明に係るインクジェット式記録装置の電源回路図である。
【図５】記録制御部の要部の機能ブロック図である。
【図６】光ディスクからのデータ読み込み制御手順のフローチャートである。
【図７】光ディスクへのデータ書き込み制御手順のフローチャートである。
【符号の説明】
【００６２】
１０  ＡＣアダプタ、２０リチウムイオン電池パック、２１  充電回路、２２  Ａ／Ｄ変換回路、２３  電源検出回路、３０  ＤＣ−ＤＣコンバータ、３６  メモリカードスロット、３７  ＣＤ／ＤＶＤドライブ、３８  ユーザインタフェース手段、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、６１  キャリッジ、６２  記録ヘッド、１００  記録制御部、１０１  ＲＯＭ、１０２  ＲＡＭ、１０３  ＡＳＩＣ、１０４  ＭＰＵ、１０５  不揮発性メモリ、３０２  光ディスク、Ｐ  記録紙、Ｘ  主走査方向、Ｙ  副走査方向
【図１】
0004513984.tif 000002
【図２】
0004513984.tif 000003
【図３】
0004513984.tif 000004
【図４】
0004513984.tif 000005
【図５】
0004513984.tif 000006
【図６】
0004513984.tif 000007
【図７】
0004513984.tif 000008